(57)【要約】      （修正有）【課題】減速ケーシングに対して、谷部開口調整部ケーシングが突出せず、組立ての容易化、配線の簡便化、並びに作業性の向上化を図れれ、ハウス農家、又は製造業者に、恩恵と低コストが図れるフイルムの巻取り巻戻し制御装置を提供する。【解決手段】モータの出力軸の回転を減速し、かつ回転力伝達方向を変える伝達装置と、巻取り巻戻し軸の支持用支持部、及び回転体とを有し、伝達装置の巻取り巻戻し駆動軸と、回転体に連繋する被回転体を支持する回転軸に設けたスライダと、スライダの前進限と後退限とを規制するスイッチでなるハウスＡのフイルムＢの巻取り巻戻し制御装置を構成し、モータケーシングの出力軸側に隣設して、伝達装置、及び回転体を収容した減速ケーシングを設け、減速ケーシングとモータケーシングに、谷部開口調整部ケーシングを添設する構成。【選択図】図１
2016086691.tif 000002
【特許請求の範囲】
【請求項１】
モータの出力軸の回転を減速し、かつ回転力伝達方向を変える伝達装置と、一方に設けた巻取り巻戻し軸支持用の支持部、及び他方に設けた回転体とでなり、前記伝達装置に備えた巻取り巻戻し駆動軸と、この回転体に連繋する被回転体を支持する回転軸に設けたスライダと、このスライダの前進限と後退限とを規制するスイッチとで構成したハウスのフイルムの巻取り巻戻し制御装置において、
前記モータを収容するモータケーシングの出力軸側に隣設して、前記伝達装置、及び前記回転体を収容し、かつ前記支持部、及び当該制御装置を前記ハウスの谷部に支持する縦杆を立設する縦杆支持部を備えた減速ケーシングを設ける構成とし、この減速ケーシングと前記モータケーシングとの一面側に、前記スライダ及び前記スイッチ、並びに前記被回転体を収容する谷部開口調整部ケーシングを添設する構成としたハウスのフイルムの巻取り巻戻し制御装置。
【請求項２】
前記伝達装置は、前記出力軸の第一螺子部に噛合する第一歯車と、この第一歯車を支持する、前記減速ケーシングに貫設した中心部に螺子部を備えた縦軸と、この縦軸を架承する第一軸受と、この縦軸の螺子部に噛合する第二歯車と、この第二歯車を架承する当該縦軸にクロスする前記巻取り巻戻し駆動軸と、この巻取り巻戻し駆動軸を架承する第二軸受とで構成した請求項１に記載のハウスのフイルムの巻取り巻戻し制御装置。
【請求項３】
前記減速ケーシングに収容された減速装置は、前記出力軸の第一歯車と、この第一歯車を架承する縦軸の螺子部と、この螺子部に噛合する第二歯車とで構成した請求項１、又は請求項２に記載のハウスのフイルムの巻取り巻戻し制御装置。
【請求項４】
前記縦軸と直交する方向に、前記巻取り巻戻し駆動軸を配備し、この巻取り巻戻し駆動軸の回転体と噛合する被回転体とを利用し、前記谷部開口調整部ケーシングを、前記モータケーシングとの側面に添接する構成とした請求項１、又は請求項２に記載のハウスのフイルムの巻取り巻戻し制御装置。
【請求項５】
前記縦軸と直交する方向に、前記巻取り巻戻し駆動軸を配備し、この巻取り巻戻し駆動軸の回転体と噛合する被回転体とでなる回転方向の位相を変える位相装置を、前記、谷部開口調整部ケーシング内に区画した方向変換部ケーシング室を設ける構成とした請求項１、又は請求項４に記載のハウスのフイルムの巻取り巻戻し制御装置。
【請求項６】
前記谷部開口調整部ケーシングに設けた検出スイッチは、前記被回転体を支持する回転軸と、この回転軸に設けたスライダと、前記回転軸に併設した二本の螺軸に設けた第一スィッチ及び第二スイッチとで構成した請求項１、又は請求項２に記載のハウスのフイルムの巻取り巻戻し制御装置。
【請求項７】
前記第一スイッチと前記第二スイッチは、前記螺軸に設けた第一リミットスイッチと第二リミットスイッチとする構成とした請求項６に記載のハウスのフイルムの巻取り巻戻し制御装置。
【請求項８】
前記第一リミットスイッチと前記第二リミットスイッチは、谷部開口調整部ケーシングに架承した二本のガイド棒に貫設支持される構成とした請求項７に記載のハウスのフイルムの巻取り巻戻し制御装置。
【発明の詳細な説明】
【技術分野】
【０００１】
本発明は、ハウスの谷部のフイルムを開閉するフイルム（シート、又はカーテン等）の巻取り巻戻し制御装置に関する。
【背景技術】
【０００２】
この種のフイルムの巻取り巻戻し制御装置における全体構造は、モータと、このモータの回転を伝達する伝達装置と、この伝達装置に隣設した減速装置と、この減速装置の一方側に隣接した検出（検知）装置、及びその他方側に隣接したフイルムの巻取り巻戻し用の巻取り巻戻し駆動軸と、で構成されている。
【０００３】
従って、前記モータを収容するモータケーシングに隣設した伝達装置及び減速装置を収容する減速ケーシングに対して、検出装置を収容する谷部開口調整部ケーシングが、一方側に突出する構造となる。例えば、特開２００３−１８９２３号公報（文献１とする）記載の「ハウス開閉装置」が挙げられる。
【０００４】
この文献１では、図２に示されているように、減速ケーシング（減速器１８）に対して、谷部開口調整部ケーシング（設定器１９）が突出することから、支持棒に開閉装置を取付けた場合に、安定性に欠けること、又はフイルムの巻戻し、又は巻取り動作に障害となることが考えられる。又は突出先端部をカバーする必要が生じ、手数を要すること、面倒であること、或いはカバー用の資材を要すること等の問題が生ずる。
尚、この文献１では、明細書の
【０００５】
に開示されているように、谷部開口調整部ケーシングを、減速ケーシングに着脱自在に設ける構造を採用し、この谷部開口調整部ケーシングのメンテナンスの容易化を図ることを意図する。
【０００６】
また、フイルムの巻取り巻戻し制御装置における谷部開口調整部ケーシングは、巻取り巻戻し駆動軸に設けたスライダと、この巻取り巻戻し駆動軸に併設して設けた螺軸に設けた第一・第二リミットスィッチとで構成し、スライダが第一・第二リミットスィッチに、それぞれ衝止して、フイルムを開閉位置で停止する構造である。前記文献１を始めとして、特開２００６−２０５４１号公報（文献２）に開示されている。この文献１と文献２では、第一・第二リミットスィッチは、谷部開口調整部ケーシングに支持したガイド軸に貫設する構造でなく、安定性に欠けること、又は誤動作の要因と成り兼ねないこと等の問題が、考えられる。
【０００７】
【特許文献１】特開２００３−１８９２３号公報
【特許文献２】特開２００６−２０５４１号公報
【発明の概要】
【発明が解決しようとする課題】
【０００８】
文献１においては、減速ケーシングに対して、谷部開口調整部ケーシングが突出することから、ハウスの谷部の妻面に立設した支持棒に開閉装置を取付けた場合に、安定性に欠けること、又は突出先端部をカバーするには、手数を要すること、面倒であること、或いは資材を要すること等の問題が考えられる。
【０００９】
また、文献１と文献２においては、第一・第二リミットスィッチは、谷部開口調整部ケーシングに支持したガイド軸に貫設する構造でなく、安定性に欠けること、又は誤動作の要因と成り兼ねないこと等の問題が考えられる。
【課題を解決するための手段】
【００１０】
上記に鑑み、本発明は、モータケーシングの出力軸側に隣設して、伝達装置及び回転体を収容し、かつ支持部、及び制御装置をハウスの谷部に支持する縦杆を立設する縦杆支持部を備えた減速ケーシングを設け、減速ケーシングとモータケーシングとの側面に、スライダ及びスイッチ、並びに被回転体を収容する谷部開口調整部ケーシングを添設する構成としたハウスのフイルムの巻取り巻戻し制御装置であり、モータケーシングと減速ケーシングの側面に谷部開口調整部ケーシングを添設し、全体をコンパクトに形成することで、前述した文献１、２の問題点を解消すること、ハウス農家、又は製造業者に、恩恵と低コストが図れるフイルムの巻取り巻戻し制御装置を提供すること、更には、前記のコンパクトに形成することで、組立ての容易化、配線の簡便化、並びに作業性の向上化を図ること、等にある。
【００１１】
本発明は、後述する、好ましい一実施例を示した、請求項１−８を提供することにある。
【発明の効果】
【００１２】
請求項１の発明は、モータの出力軸の回転を減速し、かつ回転力伝達方向を変える伝達装置と、一方に設けた巻取り巻戻し軸支持用の支持部、及び他方に設けた回転体とでなり、伝達装置に備えた巻取り巻戻し駆動軸と、回転体に連繋する被回転体を支持する回転軸に設けたスライダと、スライダの前進限と後退限とを規制するスイッチとで構成したハウスのフイルムの巻取り巻戻し制御装置において、
モータを収容するモータケーシングの出力軸側に隣設して、伝達装置、及び回転体を収容し、かつ支持部、及び制御装置をハウスの谷部に支持する縦杆を立設する縦杆支持部を備えた減速ケーシングを設ける構成とし、減速ケーシングとモータケーシングとの一面側に、スライダ及びスイッチ、並びに被回転体を収容する谷部開口調整部ケーシングを添設する（被せ設ける）ハウスのフイルムの巻取り巻戻し制御装置であり、モータケーシングの出力軸側に隣設して、減速ケーシングを設け、減速ケーシングとモータケーシングとの側面に、谷部開口調整部ケーシングを添設する構成であり、全体をコンパクトに形成でき、従来の問題点を解消できること、ハウス農家、又は製造業者に、恩恵と低コストが図れるフイルムの巻取り巻戻し制御装置を提供できること、更には、前記のコンパクトに形成することで、組立ての容易化、配線の簡便化、並びに作業性の向上化が図れること、等の特徴がある。
【００１３】
請求項２の発明は、伝達装置は、出力軸の第一螺子部に噛合する第一歯車と、第一歯車を支持する、減速ケーシングに貫設した中心部に螺子部を備えた縦軸と、縦軸を架承する第一軸受と、縦軸の螺子部に噛合する第二歯車と、第二歯車を架承する縦軸にクロスする巻取り巻戻し駆動軸と、巻取り巻戻し駆動軸を架承する第二軸受とで構成したハウスのフイルムの巻取り巻戻し制御装置であり、請求項１に記載の特徴を達成できることと、この目的達成に最適な伝達装置の構造（構成内容）を提供できる特徴がある。
【００１４】
請求項３の発明は、減速ケーシングに収容された減速装置は、出力軸の第一歯車と、第一歯車を架承する縦軸の螺子部と、螺子部に噛合する第二歯車とで構成したハウスのフイルムの巻取り巻戻し制御装置であり、請求項１、又は請求項２に記載の特徴を達成できることと、この目的達成に最適な減速装置の構造を提供できる特徴がある。
【００１５】
請求項４の発明は、縦軸と直交する方向に、巻取り巻戻し駆動軸を配備し、巻取り巻戻し駆動軸の回転体と噛合する被回転体とを利用し、谷部開口調整部ケーシングを、モータケーシングとの側面に添接する構成としたハウスのフイルムの巻取り巻戻し制御装置であり、請求項１、又は請求項２に記載の特徴を達成できることと、この目的達成に最適な谷部開口調整部ケーシングとモータケーシングとの連繋関係を提供できる特徴がある。
【００１６】
請求項５の発明は、縦軸と直交する方向に、巻取り巻戻し駆動軸を配備し、巻取り巻戻し駆動軸の回転体と噛合する被回転体とでなる回転方向の位相を変える位相装置を、谷部開口調整部ケーシング内に区画した方向変換部ケーシング室を設ける構成としたハウスのフイルムの巻取り巻戻し制御装置であり、請求項１、又は請求項４に記載の特徴を達成できることと、この目的達成に最適な位相装置ケーシングとの連繋関係を提供できる特徴がある。
【００１７】
請求項６の発明は、谷部開口調整部ケーシングに設けた検出スイッチは、被回転体を支持する回転軸と、回転軸に設けたスライダと、回転軸に併設した二本の螺軸に設けた第一スィッチ及び第二スイッチとで構成したハウスのフイルムの巻取り巻戻し制御装置であり、請求項１、又は請求項２に記載の特徴を達成できることと、この目的達成に最適な位相装置ケーシングとの連繋関係を提供できる特徴がある。
【００１８】
請求項７の発明は、第一スイッチと第二スイッチは、螺軸に設けた第一リミットスイッチと第二リミットスイッチとする構成としたハウスのフイルムの巻取り巻戻し制御装置であり、請求項６に記載の特徴を達成できることと、この目的達成に最適な第一スイッチと第二スイッチとの連繋関係を提供できる特徴がある。
【００１９】
請求項８の発明は、第一リミットスイッチと第二リミットスイッチは、谷部開口調整部ケーシングに架承した二本のガイド棒に貫設支持される構成としたハウスのフイルムの巻取り巻戻し制御装置であり、請求項７に記載の特徴を達成できることと、この目的達成に最適な第一リミットスイッチと第二リミットスイッチとの連繋関係を提供できる特徴がある。
【図面の簡単な説明】
【００２０】
【図１】ハウスに設置した状態の縮尺正面図
【図２−１】フイルムの巻取り巻戻し制御装置の正面を示した谷部開口調整部ケーシングを欠截した断面図
【図２−２】図２−１において、一部を欠截するとともに、要部となる減速ケーシングの下側半分（背面側）を示した断面図
【図３】制御装置の側面を示した伝達装置と谷部開口調整部ケーシングとを欠截した断面図
【図４】制御装置の側面を示した一部を欠截した図
【図５】制御装置の背面を示した一部を欠截した図
【図６】制御装置の正面を示した図
【発明を実施するための形態】
【００２１】
基本となる、図２と図３とを最初に説明すると、１は制御装置であり、この制御装置１の外郭は、モータケーシング１００と、このモータケーシング１００に隣設した減速ケーシング１０１と、このモータケーシング１００と減速ケーシング１０１との正面側１ａ（図１のハウスＡの妻面Ａ１に取付け時）に設けた谷部開口調整部ケーシング１０２とで構成されている。但し、この谷部開口調整部ケーシング１０２（谷部開口位置規制／制御する調整部のことである）には、区画形成した方向変換部ケーシング室１０２ａが設けられている。
【００２２】
減速ケーシング１０１の下側１０１ａには、ハウスＡの妻面Ａ１に立設した伸縮自在の縦杆２（支持材）を取付ける縦杆支持部３（突片）が形成されている。
【００２３】
以下、モータケーシング１００と減速ケーシング１０１、及び谷部開口調整部ケーシング１０２の連係と、個々に収容されている部品を説明すると、モータケーシング１００に設けたモータ１０の出力軸１１は、モータケーシング１００の下側１００ａより突出し、減速ケーシング１０１の背面側１０１ｂ（内部における）に至っている。そして、この減速ケーシング１０１の背面側１０１ｂには、出力軸１１の螺子部１１ａに噛合する第一歯車１２と、この第一歯車１２を軸支する縦軸１３と、この縦軸１３を架承する対の軸受け１５、１５とが設けられている。縦軸１３の中心部（一例である）には螺子部１３ａを有する。また、減速ケーシング１０１の正面側１０１ｃ（内部における）には、前記縦軸１３の螺子部１３ａと噛合する（縦軸）第二歯車１６と、この第二歯車１６を架承する巻取り巻戻し駆動軸１７と（巻取り巻戻し駆動軸１７の両端部１７ａ、１７ｂは、減速ケーシング１０１の左右壁１０１−１、１０１−２より突出している）、巻取り巻戻し駆動軸１７を架承する軸受け１８、１８とが設けられている。この巻取り巻戻し駆動軸１７の一方の端部１７ａには、巻取り巻戻し軸３３（後述する）を支持するための支持部１７ｃを有し、及び他方の端部１７ｂには、傘歯車２０（後述する）を固止する。
【００２４】
従って、出力軸１１の回転は、減速して、次のように伝達される（伝達装置）。伝達装置による回転伝達は、出力軸１１・螺子部１１ａ→第一歯車１２→縦軸１３・螺子部１３ａ→第二歯車１６→巻取り巻戻し駆動軸１７である。
【００２５】
前記谷部開口調整部ケーシング１０２に区画形成された方向変換部ケーシング室１０２ａ（換言すると、谷部開口調整部ケーシング１０２）には、巻取り巻戻し駆動軸１７の端部１７ｂが臨んでおり、端部１７ｂに設けた傘歯車２０が設けられている。方向変換部ケーシング室１０２ａには、傘歯車２０（回転体）に噛合する傘歯車２１（被回転体）と、この傘歯車２１を架承し、かつ谷部開口調整部ケーシング１０２に架承した回転軸２２の一部が設けられている。従って、巻取り巻戻し駆動軸１７の回転は、方向変換して（直交する方向、即ち、モータ１０の出力軸１１の方向Ｘと、逆方向Ｙに変換される）、次のように伝達される（伝達手段）。伝達手段による回転伝達は、巻取り巻戻し駆動軸１７→傘歯車２０→傘歯車２１→回転軸２２である。
【００２６】
この谷部開口調整部ケーシング１０２には、前記回転軸２２と、回転軸２２に沿って移動するスライダ２３（ドック）、及びこの回転軸２２と併設し、かつ谷部開口調整部ケーシング１０２に、それぞれ架承した二本のガイド棒２４、２５と、このガイド棒２４、２５と併設し、かつ谷部開口調整部ケーシング１０２に、それぞれ架承した二本の螺軸２６、２７と、二本の螺軸２６、２７に、それぞれ設けた第一・第二リミットスイッチ２８、２９（第一・第二スイッチ）と、第一・第二リミットスイッチ２８、２９を調整する螺軸２６、２７の端部（谷部開口調整部ケーシング１０２の下側１０２ｂに突出した端部）にそれぞれ設け、かつ谷部開口調整部ケーシング１０２の外側に位置する摘み３０、３１と、が設けられている。従って、回転軸２２が回転することで、スライダ２３が図２−１において、上下方向に移動する。この移動で、スライダ２３が、第一・第二リミットスイッチ２８、２９に衝止して、フイルムＢを、開口（谷部Ａ２の開き）位置、又は基の（谷部Ａ２の閉まり）位置に、それぞれ停止する。また、第一・第二リミットスイッチ２８、２９の移動（位置変更）は、摘み３０、３１の操作で、螺軸２６、２７を回転して行う。
【００２７】
この谷部開口調え整部ケーシング１０２の正面側１０２ｃには、覗き窓３２があり、第一・第二リミットスイッチ２８、２９の位置を確認できる。
【００２８】
本発明のポイントは、谷部開口調整部ケーシング１０２（方向変換部ケーシング室１０２ａを含む）が、モータケーシング１００の正面側１００ｂ（ハウスＡに設置時において）と減速ケーシング１０１の正面側１０１ｃ（ハウスＡに設置時において）に添設されていることであり、前述の特徴達成にある。
【００２９】
この制御装置１（向かって右側に位置した制御装置１を対象とする）は、図１の如く、ハウスＡの妻面Ａ１に、搖動可能に立設した縦杆２を、減速ケーシング１０１の下側１０１ａに設けられた縦杆支持部３に取付けることで、その谷部Ａ２に配備される。制御装置１に、適宜手段により指令をすると、モータ１０が回転し、前述した減速ケーシング１０１に備えた機器で、例えば、出力軸１１・螺子部１１ａ→第一歯車１２→縦軸１３・螺子部１３ａ→第二歯車１６→巻取り巻戻し駆動軸１７に伝わり、この巻取り巻戻し駆動軸１７に繋がるジョイント金具３３、及び／又は、巻取り巻戻し軸３４が回転し、この回転方向の場合には、谷部Ａ２のフイルムＢを、図１における時計方向の矢印１の如く巻上げ、この谷部Ａ２を開放（開口）する（図１に示した想像線の位置である）。この動作時において、方向変換部ケーシング室１０２ａの傘歯車２０、及び傘歯車２１の噛合で、伝達方向変換して、谷部開口調整部ケーシング１０２の回転軸２２に伝える（回転軸２２の回転は、前述した巻取り巻戻し駆動軸１７→傘歯車２０→傘歯車２１→回転軸２２による）。この回転軸２２の回転により、スライダ２３が移動し、第一リミットスイッチ２８に衝止すると、前記開放端で停止する。尚、開放の大きさは、前述したように、調整可能である。
【００３０】
開放の閉塞は、前記の回転と動作の逆となり、反時計方向の矢印２の如く巻戻しとなり、開放を閉塞する。即ち、谷部Ａ２の図示しない、樋に密接する（図１に示した実線の位置である）。
【００３１】
本発明では、覗き窓３２が、妻面Ａ１に配備した状態では、正面側にあり、視認するに最適であり、利便性が確保できる。
【００３２】
本発明は、発明の広義の精神と範囲を逸脱することなく、様々な実施形態及び変形が可能とされる。従って、前述した実施形態は、本発明を説明するためのものであり、特許請求の範囲を限定するものではない。
【符号の説明】
【００３３】
１  制御装置
１ａ  正面側
１００  モータケーシング
１００ａ  下側
１００ｂ  正面側
１０１  減速ケーシング
１０１ａ  下側
１０１ｂ  背面側
１０１ｃ  正面側
１０１−１  右壁
１０１−２  左壁
１０２  谷部開口調整部ケーシング
１０２ａ  方向変換部ケーシング室
１０２ｂ  下側
１０２ｃ  正面側
２  縦杆
３  縦杆支持部
１０  モータ
１１  出力軸
１１ａ  螺子部
１２  第一歯車
１３  縦軸
１３ａ  螺子部
１５  軸受け
１６  第二歯車
１７  巻取り巻戻し駆動軸
１７ａ  端部
１７ｂ  端部
１７ｃ  支持部
１８  軸受け
２０  傘歯車
２１  傘歯車
２２  回転軸
２３  スライダ
２４  ガイド棒
２５  ガイド棒
２６  螺軸
２７  螺軸
２８  第一リミットスイッチ
２９  第二リミットスイッチ
３０  摘み
３１  摘み
３２  覗き窓
３３  ジョイント金具
３４  巻取り巻戻し軸
Ａ  ハウス
Ａ１  妻面
Ａ２  谷部
Ｂ  フイルム
【図１】
2016086691.tif 000003
【図２−１】
2016086691.tif 000004
【図２−２】
2016086691.tif 000005
【図３】
2016086691.tif 000006
【図４】
2016086691.tif 000007
【図５】
2016086691.tif 000008
【図６】
2016086691.tif 000009